(57)【特許請求の範囲】
【請求項１】
遊底、ハンマー、引き金、後ろ係止ブロック、前係止ブロックを少なくとも包含し、該ハンマーの上方にサイド係止体が、下方に係止部が設けられ、該引き金はロッドを駆動し、該後ろ係止ブロックは側辺にフックを具え、該前係止ブロックは係止突起を具え、該引き金が引かれていない時、該ハンマーの係止部は該前係止ブロックの係止突起に係止され、該引き金が引かれると、該引き金に駆動された該ロッドが前向きに移動し、且つ該ハンマーの該係止部は該前係止ブロックの該係止突起より離脱して前向きに打撃し、並びに該ハンマーの撃発の後、該遊底は後ろに移動し、並びに該ハンマーを後ろに押して該ハンマーの該サイド係止体を該後ろ係止ブロックのフックに係止させ、該遊底が後ろに移動した後に即刻前に移動し、且つ該引き金が釈放された後、該ロッドが後ろ向きにもとの位置に戻り、且つ該ハンマーの該サイド係止体が該後ろ係止ブロックのフックより離脱し、並びに該ハンマーが回復して該係止部で該前係止ブロックの係止突起に係止される銃の撃発ユニットにおいて、
該後ろ係止ブロックの別の一側辺にサイド突起が増設され、該前係止ブロックの上端に当接部が増設され、該撃発ユニットが別にメインロッドを包含し、該メインロッドの後側下方に係合部が設けられ、該後ろ係止ブロックのサイド突起は該係合部の後端を弾性圧迫し、該前係止ブロックの当接部は前向きに該係合部の前縁を弾性圧迫し、別に該メインロッドの前端は該ロッドに枢接され、且つ該引き金が引かれて該ロッドが前向きに移動させられる時、該メインロッドは後ろ向きに移動し、且つ該後ろ係止ブロック及び該前係止ブロックが後ろ向きにスイングさせられ、並びに該ハンマーが後ろ向きに押された後、該ハンマーの該サイド係止体が該後ろ係止ブロックのフックに係止され、且つ該引き金が釈放された後、該ロッドが後ろ向きに移動して該メインロッドを前向きに元の位置に戻し、並びに該後ろ係止ブロック及び該前係止ブロックを前向きに回復させ、該ハンマーの該サイド係止体を該後ろ係止ブロックのフックより離脱させ、且つ該ハンマーをバックスイングさせて該係止部により該前係止ブロックの係止突起に係止させ、
該メインロッドの後側上方に凹部が設けられ、該凹部の後端は、前側より後側が高い斜面部とされ、該斜面部の後方は上側部とされ、該撃発ユニットはさらに連接棒アセンブリを包含し、該連接棒アセンブリは、該メインロッドの内側辺に設けられ、該連接棒アセンブリは前部ロッドと後部ロッドが枢接されてなり、該前部ロッドに上凸部が設けられ、該後部ロッドは該後ろ係止ブロックの上方まで延伸され、別に該後部ロッドの後方に当接部が凸設され、且つ該引き金が引かれて該メインロッドが後ろ向きに単発行程を移動させられる時、該当接部は該メインロッドの斜面部に位置し、該後ろ係止ブロックの上方後側に係止部が設けられ、該後部ロッドの下方に押し部が設けられ、該押し部は該後ろ係止ブロックの係止部の上方に位置し、並びに該遊底が前に移動する時、該遊底は該前部ロッドの上凸部を押して該連接棒アセンブリを前向きに移動させ、且つ該後部ロッドの押し部は該後ろ係止ブロックを押動せず、該引き金が引かれて該メインロッドが後ろ向きに連発行程を移動させられる時、且つ該連発行程は該単発行程より大きく、該当接部は該メインロッドの凹部に位置し、且つ該押し部は該係止部の後側に位置し、並びに該遊底が前向きに移動する時、該遊底は該前部ロッドの上凸部を押して該連接棒アセンブリを前に移動させ、且つ後部ロッドの押し部は前向きに該後ろ係止ブロックを押動し、該後ろ係止ブロックのフックを該ハンマーのサイド係止体より離脱させて該ハンマーをスイングバックさせ、且つ該ハンマーがスイングバックする時、該ハンマーの係止部は該前係止ブロックの係止突起に係止されず、
該撃発ユニットはまたプッシュブロックを包含し、該プッシュブロックは前向きに該前係止ブロックの後側を弾性圧迫し、該プッシュブロックの後方側辺に弾性圧迫ブロックが設置され、且つ該引き金が引かれて該メインロッドが後ろに移動させられる時、該前係止ブロックは後ろ向きに該プッシュブロックを押動し、並びにメインロッドが後ろ向きに連発行程を移動する時、該プッシュブロックはさらに該弾性圧迫ブロックを弾性圧迫することを特徴とする、銃の撃発ユニット。
【請求項２】
請求項１記載の銃の撃発ユニットにおいて、該メインロッドの係合部は開口が下向きのノッチとされることを特徴とする、銃の撃発ユニット。
【請求項３】
請求項１記載の銃の撃発ユニットにおいて、該連接棒アセンブリの後部ロッドに後ろ向きにバネが接続され、該連接棒アセンブリに前向きに移動した後に後ろ向きに回復するための弾性力を具備させることを特徴とする、銃の撃発ユニット。
【請求項４】
請求項３記載の銃の撃発ユニットにおいて、該プッシュブロックの後側に斜辺部があり、且つ該前係止ブロックが後ろ向きに該プッシュブロックを押動する時、該斜辺部により該弾性圧迫ブロックを弾性圧迫することを特徴とする、銃の撃発ユニット。
【発明の詳細な説明】
【技術分野】
【０００１】
本発明は一種の銃の撃発ユニットに係り、特に、引き金を軽く引く或いはしっかり引くだけで、単発或いは連発の撃発モードを達成できる技術領域のものに関する。
【背景技術】
【０００２】
一般に大型銃は、たとえば、特許文献１乃至３のように、通常、単発或いは多連発の撃発選択機能を有している。
【０００３】
上述の特許文献には、少なくとも、遊底、ハンマー、引き金、ハンマーロック、連発制御棒、及びスイッチにより構成された射撃制御構造が記載され、該スイッチは、銃身の一側に位置し、並びに弾き片を具え、且つ銃身内に軸が設置され、該軸は並びに引き金の動作に組み合わされるように適当な切り溝が設けられ、それはハンマーロック、連発制御棒及び増設されたラチェット、ラチェット爪の動作が組み合わされ、銃の単発或いは多連発の撃発操作を達成する。
【０００４】
しかし、上述の既存の技術の単発或いは多連発の切り換えは、依然として別にスイッチ、軸、弾き片などを設けることが必要であり、且つ操作上、弾き片を回して切り溝の位置を変更しなければ、単発或いは多連発の実施を達成できない。
【０００５】
このほか、特許文献４にも、一種の単発或いは連発の銃の撃発構造が記載されているが、同様に、それも依然として調節ブロックにおける操作を行わねば単発或いは連発の切り換えを実施することができない。
【０００６】
さらに、市場にはまた、一種の、引き金下方に回転輪（図示せず）が設置され、且つ該回転輪を回すことで単発或いは連発の切り換えを行うものがある。ただし、それも依然として、別に回転輪を設置しなければならず、且つ操作上、回転輪を回さなければ単発或いは連発の実施を行えない。
【０００７】
技術の進歩に基づき、上述の既存の技術も改善の必要がある。
【先行技術文献】
【特許文献】
【０００８】
【特許文献１】台湾特許公告第３３４８４４号明細書
【特許文献２】台湾特許公告第Ｍ３６０７２６号明細書（中国特許公告第ＺＬ２００９２０００６９８５．３号，米国特許公告第７８７８１９６号）
【特許文献３】台湾特許公告第Ｍ３７１８７１号明細書
【特許文献４】台湾特許公告第Ｍ３８３１１１号明細書（中国特許公告第ＺＬ２００９２０１７４４７２．３号，米国特許公告第８１４６５７６号、ヨーロッパ特許第２３９２８８８号）
【発明の概要】
【発明が解決しようとする課題】
【０００９】
以上を受け、本発明の解決しようとする技術問題は、既存の技術の、単発或いは連発の切り換え時に、別に弾き片、調節ブロック、あるいは回転輪を設置して操作する必要があり、操作上の不便を形成し、且つ、構造の複雑性が増す欠点に対して、一種の、有効な改善技術構造を提供することにある。
【課題を解決するための手段】
【００１０】
本発明の課題を解決するために採用する技術手段は以下のとおりである。軽く引き金を引くか、しっかり引き金を引くかだけで、単発或いは連発の撃発モードを達成できる。その具体的な技術構造は、一種の銃の撃発ユニットを発明し、該撃発ユニットは、少なくとも、遊底、ハンマー、引き金、後ろ係止ブロック、前係止ブロックを包含する。そのうち、該ハンマーの上方にサイド係止体が、下方に係止部が設けられ、該引き金はロッドを駆動する。該後ろ係止ブロックは側辺にフックを具え、該前係止ブロックは係止突起を具える。該引き金が引かれていない時、該ハンマーの係止部は該前係止ブロックの係止突起に係止され、該引き金が引かれると、該引き金に駆動された該ロッドが前向きに移動し、該ハンマーの該係止部を該前係止ブロックの該係止突起より離脱させ前向きに打撃させ、且つ該ハンマーの撃発の後、該遊底は後ろに移動し、並びに該ハンマーを後ろに押し該ハンマーの該サイド係止体を該後ろ係止ブロックのフックに係止させ、該遊底が後ろに移動した後に即刻前に移動し、且つ該引き金が釈放された後、該ロッドが後ろ向きにもとの位置に戻り、且つ該ハンマーの該サイド係止体が該後ろ係止ブロックのフックより離脱し、並びに該ハンマーが回復して該係止部で該前係止ブロックの係止突起に係止される。
本発明の主要な改良は以下のとおりである。該後ろ係止ブロックの別の側辺にサイド突起が増設され、該前係止ブロックの上端に当接部が増設され、該撃発ユニットが別にメインロッドを包含し、該メインロッドの後側下方に係合部が設けられ、該係合部は開口が下向きのノッチとされ得て、該後ろ係止ブロックのサイド突起は該係合部の後端を弾性圧迫し、該前係止ブロックの当接部は前向きに該係合部の前縁を弾性圧迫し、別に該メインロッドの前端は該ロッドに枢接され、且つ該引き金が引かれて該ロッドが前向きに移動させられる時、該メインロッドは後ろ向きに移動し、且つ該後ろ係止ブロック及び該前係止ブロックが後ろ向きにスイングさせられ、並びに該ハンマーが後ろ向きに押された後、該ハンマーの該サイド係止体が該後ろ係止ブロックのフックに係止され、且つ該引き金が釈放された後、該ロッドが後ろ向きに移動して該メインロッドを前向きに元の位置に戻し、並びに該後ろ係止ブロック及び該前係止ブロックを前向きに回復させ、該ハンマーの該サイド係止体を該後ろ係止ブロックのフックより離脱させ、且つ該ハンマーをバックスイングさせて該係止部により該前係止ブロックの係止突起に係止させる。
【００１１】
以上を受けて、該メインロッドの後側上方に凹部が設けられ、該凹部の後端は斜面部とされ、該斜面部は前側より後側が高く、該斜面部の後方は上側部とされ、該撃発ユニットはさらに連接棒アセンブリを包含し、該連接棒アセンブリは、該メインロッドの内側辺に設けられ、該連接棒アセンブリは前部ロッドと後部ロッドが枢接されてなり、該前部ロッドに上凸部が設けられ、該後部ロッドは該後ろ係止ブロックの上方まで延伸され、別に該後部ロッドの後方に当接部が凸設され、且つ該引き金が引かれていない時、該当接部は該メインロッドの上側部に位置し、該後ろ係止ブロックの上方後側に係止部が設けられ、該後部ロッドの下方に押し部が設けられ、該押し部は該後ろ係止ブロックの係止部の上方に位置する。
【００１２】
さらに、上述の構造を受けて、該引き金を引いて該メインロッドを後ろ向きに単発行程を移動させる時、該当接部は該メインロッドの斜面部に位置し、且つ該押し部は該係止部の上方に位置し、このとき、該遊底が前に移動する時、該遊底は該前部ロッドの上凸部を押して該連接棒アセンブリを前向きに移動させ、且つ該後部ロッドの押し部は該後ろ係止ブロックの係止部の上方に位置して該後ろ係止ブロックを押動しないため、該後ろ係止ブロックは前に移動せず、該ハンマーが前向きに撃発した後に、該遊底が即刻後ろに移動し、且つ該ハンマーを後ろに圧し、並びに該ハンマーの該サイド係止体を該後ろ係止ブロックのフックに係止させ、且つ該引き金が釈放された後に、該メインロッドが前向きに回復し、該ハンマーの該サイド係止体が該後ろ係止ブロックのフックより離脱し、且つ該ハンマーがスイングバックして該係止部により該前係止ブロックの係止突起に係止され、こうして単発の実施を構成する。
【００１３】
また、該引き金を引いて該メインロッドを連射行程移動させる時、連射行程は上述の単発行程より大きく、該後部ロッドの当接部は下に移動して該メインロッドの凹部に位置し、このとき、該後部ロッドの押し部は該後ろ係止ブロックの係止部の後側に位置し、且つ該遊底が後ろに移動する時、該ハンマーのサイド係止体は該後ろ係止ブロックのフックに係止され、該遊底が前に移動する時、該遊底は前向きに該前部ロッドの上凸部を押して該連接棒アセンブリを前に移動させ、且つ該後部ロッドの押し部は前向きに該後ろ係止ブロックを押動し、該後ろ係止ブロックのフックを該ハンマーのサイド係止体より離脱させ、該ハンマーをスイングバックさせ、且つ該メインロッドが後ろに比較的長い行程を移動することで、該ハンマーが後ろに押す時及びスイングバックする時に、該ハンマーの係止部はいずれも該前係止ブロックの係止突起に係止されない。これにより、多連発の実施を構成する。
【００１４】
このほか、該連接棒アセンブリの後部ロッドに後ろ向きにバネが接続され、該連接棒アセンブリに前向きに移動した後の後ろ向きの回復の弾性力を具備させる。
【００１５】
さらに、該撃発ユニットはプッシュブロックを包含し、該プッシュブロックは前向きに該前係止ブロックの後側を弾性圧迫し、該プッシュブロックの後側側辺に別に弾性圧迫ブロックが設けられ、且つ該引き金が引かれて該メインロッドが後方に移動させられる時、該前係止ブロックは後ろ向きに該プッシュブロックを押動し、且つ該メインロッドが後ろ向きに連発行程を移動する時、該プッシュブロックはさらに該弾性圧迫ブロックを弾性圧迫する。これにより、単発を連発に切り換える操作の時、引き金が引かれる時の重厚感により警告効果を有する。
【００１６】
このほか、該プッシュブロックの後側に斜辺部を有し、且つ該前係止ブロックが後ろ向きに該プッシュブロックを押動する時に、該斜辺部は該弾性圧迫ブロックを弾性圧迫する。
【発明の効果】
【００１７】
ゆえに、本発明の主要な目的は、一種の銃の撃発ユニットを提供することにあり、それは、引き金を軽く引くか或いはしっかり引く時に、メインロッドを駆動して後方に移動させる行程（距離）の違い、且つメインロッドを弾性押圧する後ろ係止ブロック及び前係止ブロックの後ろ向きのスイング角度の違いにより、遊底が連接棒アセンブリを前に移動させる時に後ろ係止ブロックを前に押動するか否か、且つハンマーがバックスイングする時に前係止ブロックとの係止状況の違いを構成し、単発或いは連発の操作を達成し、これにより、使用者の操作をさらに便利としている。
【図面の簡単な説明】
【００１８】
【図１】本発明の立体実施例図である。
【図２】本発明の主要部分の立体構造及びその部分拡大図である。
【図３】本発明の別の角度から見た部分立体構造参考図である。
【図４】本発明の引き金を引いていない時の、平面構造位置参考図である。
【図５】本発明の引き金を引いていない時の、部分平面構造図である。
【図６】本発明の引き金を軽く引いてハンマーが前向きに打撃する時の平面動作参考図である。
【図７】図６の部分平面構造状態図である。
【図８】本発明の引き金を軽く引いて遊底が後退した時の平面構造状態図である。
【図９】図８の遊底がさらに前に移動した時の平面構造状態図である。
【図１０】本発明の引き金をしっかり引いてハンマーが前向きに打撃する時の平面動作参考図及びその部分拡大図である。
【図１１】図１０の部分平面構造状態図である。
【図１２】図１１の遊底がさらに前に移動した時の平面構造状態図である。
【発明を実施するための形態】
【００１９】
図１、２、３に示される具体的実施例を参照されたい。本発明の銃の撃発ユニットは、遊底１、ハンマー２、引き金３、メインロッド４、後ろ係止ブロック５、前係止ブロック６、連接棒アセンブリ７、プッシュブロック８を包含する。
【００２０】
そのうち、該遊底１は、前向きに移動する時には撃発状態であり、且つ、同時に入気するため、遊底１が前に移動した後にはまた、即刻後退し、且つ後退時に前向きに回復する弾性力を内蔵する。
【００２１】
ハンマー２は、上方にサイド係止体２１を具え、下方に係止部２２を具え、遊底１が後退する時に、ハンマー２を後ろ向きに圧迫され、且つハンマー２もまた前向きに回復する弾性力を内蔵し、且つ、引き金３が引かれる時、ハンマー２は係止解除されて前向きに打撃する。
【００２２】
引き金３は、その上方にロッド３１が枢接され（図２のとおり）、且つ引き金３が引かれる時、ロッド３１は前向きに移動し、引き金３が釈放される時、ロッド３１は後向きに回復し、且つロッド３１の後端は回転シート３０の側辺に枢接されている。
【００２３】
メインロッド４は、前端が回転シート３０のもう一つの側辺に枢接され（図２に示されるとおり）、引き金３が引かれる時、メインロッド４は後方に移動し、引き金３が釈放される時、メインロッド４は前方に移動する。メインロッド４の後側下方には係合部４１が設けられ、係合部４１は開口が下向きのノッチとされ得て（図３に示されるとおり）、メインロッド４の後側上方に凹部４２が設けられ、凹部４２の後端は斜面部４３とされ、斜面部４３は前側が比較的低く、後側が比較的高く、斜面部４３の後方は上側部４４とされる。
【００２４】
後ろ係止ブロック５は、その底端が定位枢接状態を呈し、且つ後ろ向きにスイングする弾性力を有し、後ろ係止ブロック５の一側辺はフック５１を具え（図２に示されるとおり）、もう一つの側辺に、サイド突起５２が設けられ（図３に示されるとおり）、且つ上方後側に別に係止部５３が設けられ、ハンマー２が後ろ向きに押圧する時、ハンマー２のサイド係止体２１は後ろ係止ブロック５のフック５１と係合し（図８に示されるとおり）、且つ後ろ係止ブロック５のサイド突起５２は後ろ向きにメインロッド４の係合部４１の後端を弾性押圧し（図４に示されるとおり）、メインロッド４が後ろ向きに移動させられる時、後ろ係止ブロック５は後ろ向きの弾性力作用により後ろ向きにスイングできる。
【００２５】
前係止ブロック６は、その底端が定位枢接状態を呈し、且つ前向きにスイングする弾性力を有し、前係止ブロック６は前側に係止突起６１を具え、上端に、当接部６２が設けられ、且つ当接部６２は前向きに、メインロッド４の係合部４１の前端を弾性押圧し（図４に示されるとおり）、メインロッド４が後ろに移動させられる時、前係止ブロック６は押されて後ろ向きにスイングし、且つ前向きの回復力を内蔵し、メインロッド４が前向きに移動する時、ハンマー２のサイド係止体２１が後ろ係止ブロック５のフック５１より離脱し、係止解除してスイングバックし、且つハンマー２がスイングバックする時、その係止部２２は前係止ブロック６の係止突起６１に係止され、引き金３が引かれる前の状態を構成する（図４、５に示されるとおり）。
【００２６】
連接棒アセンブリ７は、メインロッド４の内側辺に設けられ、且つ前部ロッド７１と後部ロッド７２が枢接されてなり（図３、４に示されるとおり）、前部ロッド７１に上凸部７１１が設けられ、遊底１が前に移動する時には、上凸部７１１に係合して連接棒アセンブリ７を前に移動させられ、後部ロッド７２は後ろ向きにバネ７３に接続され、連接棒アセンブリ７に、前に移動した後に後ろ向きの回復の弾性力を具備させ、後部ロッド７２は後ろ係止ブロック５の上方まで延伸される。このほか、後部ロッド７２の後方に当接部７２１が凸設され、引き金３が引かれていない時、当接部７２１はメインロッド４の上側部４４に位置し（図４に示されるとおり）、且つ軽く引き金３が引かれてメインロッド４が後方に比較的短い単発行程を移動させられる時、当接部７２１はメインロッド４の斜面部４３に位置し（図６に示されるとおり）、また後部ロッド７２の下方に押し部７２２が設けられ、この時、押し部７２２は後ろ係止ブロック５の係止部５３の上方に位置し（図７に示されるとおり）、すなわち、連接棒アセンブリ７は前後に移動し並びに後ろ係止ブロック５と連動関係は発生しない。また、引き金３をしっかりひいて、メインロッド４を後ろ向きに比較的長い連発行程移動させる時、すなわち、連発行程は単発行程より大きく、当接部７２１はメインロッド４の凹部４２に位置し（図１０に示されるとおり）、この時、後部ロッド７２の押し部７２２は後ろ係止ブロック５の係止部５３の後側に位置し（図１２に示されるとおり）、遊底１が前に移動する時、上凸部７１１を係止し連接棒アセンブリ７を前に移動させ、後部ロッド７２の押し部７２２が後ろ係止ブロック５を前に押して、後ろ係止ブロック５のフック５１をハンマー２のサイド係止体２１より離脱させて、ハンマー２をスイングバックさせ、且つメインロッド４の後退の行程（距離）は比較的長いため、該前係止ブロック６が後ろ向きに比較的大きな角度スイングし、ゆえに、このとき、ハンマー２が後ろ向きに押圧し、スイングバックする時、その係止部２２は係止突起６１を係止しない。
【００２７】
プッシュブロック８は、前係止ブロック６の後側を弾性圧迫し、プッシュブロック８の後方側辺に別に弾性圧迫ブロック８１が設けられ（図２に示されるとおり、ビーズとされ得る）、弾性圧迫ブロック８１の側辺は弾性部品８２を制圧し、プッシュブロック８の後側は斜辺部８３を具え、引き金３が引かれてメインロッド４が後ろに移動する時、前係止ブロック６は後ろ向きにプッシュブロック８を押動し、且つ引き金３がしっかりと引かれてメインロッド４が比較的長い連発行程を後退する時、プッシュブロック８は斜辺部８３により弾性圧迫ブロック８１を弾性圧迫し、このとき、引き金３が引かれる時、重厚感があり、これが警告作用とされて、無意識のうちに引き金３をしっかり引いてしまうのを防止する。
【００２８】
以上で構成され、引き金３が引かれない時、ハンマー２は係止部２２により前係止ブロック６の係止突起６１を係止し（図４に示されるとおり）、軽く引き金３が引かれる時（図６、７に示されるとおり）、メインロッド４が後ろ向きに移動して係止部２２を前係止ブロック６の係止突起６１より離脱させ、ハンマー２に前向きに打撃させ、且つ遊底１に同時に入気させ且つ即刻後ろに移動させる。このとき、メインロッド４は後ろに比較的短い単発行程を移動し、僅かに当接部７２１がメインロッド４の斜面部４３に当接し（図６に示されるとおり）、且つメインロッド４の後ろ係止ブロック５を弾性圧迫し、前係止ブロック６はこれに伴い後ろ向きにスイングし、遊底１が後ろに移動してハンマー２に後ろに押圧させた後、ハンマー２のサイド係止体２１は後ろ係止ブロック５のフック５１を係止し（図８に示されるとおり）、続いて、引き金３が釈放されてメインロッド４が前向きに回復させられ（図９に示されるとおり）ると、このとき、後ろ係止ブロック５と前係止ブロック６は前向きにスイングし、フック５１がハンマー２のサイド係止体２１より離脱させられ（図８も同時に参照されたい）、ハンマー２がこれに伴い前向きにスイングし、且つハンマー２がスイングバックするとき、ハンマー２の係止部２２は係止突起６１を係止し、撃発前の状態にもどり（図４、９に示されるとおり）、次の撃発に待機し、これがすなわち単発の実施である。
【００２９】
しっかり引き金３が引かれるとき（図１０に示されるとおり）、メインロッド４が比較的長い連発行程を後ろ向きに移動し、且つ前係止ブロック６は後ろ向きにプッシュブロック８を押動し、プッシュブロック８は弾性圧迫ブロック８１を弾性圧迫し（図２、１０に示されるとおり）、このとき、使用者は引き金３を引くときに重厚感を感じ、警告効果が構成される。且つ該当接部７２１はメインロッド４の凹部４２に位置を変え（図１０に示されるとおり）、且つメインロッド４を弾性圧迫する前係止ブロック６の後ろスイング角度が比較的大きく（図６、図１０と比較されたい）、またこのとき、後部ロッド７２の押し部７２２は後ろ係止ブロック５の係止部５３の後側に位置し、遊底１が後ろに移動してハンマー２に後ろ向きに圧迫させた後、ハンマー２のサイド係止体２１は後ろ係止ブロック５のフック５１を係止し（図１１に示されるとおり）、遊底１がその後に前に移動するときに上凸部７１１を係止し連接棒アセンブリ７を前に移動させ（図１２に示されるとおり）、且つ後部ロッド７２の押し部７２２はすなわち、後ろ係止ブロック５を前に押し、後ろ係止ブロック５のフック５１をハンマー２のサイド係止体２１より離脱させ（図１１、１２と比較されたい）、ハンマー２をスイングバックさせて撃発させ、且つこのとき、係止部２２はいずれも係止突起６１と係止しておらず、引き金３が続けてしっかりとひかれた状態を保持すると、遊底１が再度後方に移動し、ハンマー２を後ろに押して、ハンマー２に反復して後ろ向きの圧迫とスイングバックして撃発する動作を行わせ、多連発の実施を構成し、引き金３を釈放しなければ、メインロッド４を前向きにもとの位置に移動させて撃発前の状態を回復させることはできない。
【００３０】
以上の実施の説明により、本発明は引き金３を軽く引くかしっかり引くことにより、メインロッド４の後方移動の行程（距離）の違いを形成し、これにより、メインロッド４を弾性押圧する後ろ係止ブロック５及び前係止ブロック６の後ろ向きのスイング角度の違いを形成し、これにより遊底１に連接棒アセンブリ７を駆動して前に移動させるときに、後ろ係止ブロック５を押動して前に移動させるか否か、及び、ハンマー２がバックスイングするときの、後ろ係止ブロック５、前係止ブロック６との係止状況の違いを形成し、単発或いは連発の操作を達成でき、既存の技術のように別に切り換え操作を行わねばならない面倒がなく、使用者の操作に便利であり、これにより、確実に既存の技術の操作の欠点を排除し、本発明の製品価値を大幅にアップさせる。
【００３１】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００３２】
１  遊底
２  ハンマー
２１  サイド係止体
２２  係止部
３  引き金
３０  回転シート
３１  ロッド
４  メインロッド
４１  係合部
４２  凹部
４３  斜面部
４４  上側部
５  後ろ係止ブロック
５１  フック
５２  サイド突起
５３  係止部
６  前係止ブロック
６１  係止突起
６２  当接部
７  連接棒アセンブリ
７１  前部ロッド
７１１  上凸部
７２  後部ロッド
７２１  当接部
７２２  押し部
７３  バネ
８  プッシュブロック
８１  弾性圧迫ブロック
８２  弾性部品
８３  斜辺部
【要約】      （修正有）【課題】銃の撃発ユニットを提供する。【解決手段】撃発ユニットは、引き金３を引く前に、ハンマー２が前係止ブロックにより係止され、引き金３が引かれると、メインロッドが連帯して後退し、メインロッドに弾性押圧される後ろ係止ブロックと前係止ブロックを後ろに揺動させ、且つ引き金３を軽く引きメインロッドを比較的短い行程後退させる時、前係止ブロックが後ろにスイングし、ハンマー２を係止解除し前向きにスイングバックさせ打撃させ単発を構成する。また、引き金３をしっかり引き、メインロッドを比較的長い行程後退させる時、ハンマー２がスイングバックする時に、前係止ブロックと係合せず、遊底１が後ろに移動してハンマー２が後ろに押される時、ハンマー２は後ろ係止ブロックにより係止さる。これにより、引き金３軽く引くかしっかり引く操作だけで単発或いは連発の実施を達成でき、構造を簡易化し操作の便利性をアップする。【選択図】図１【図１】
0005639232.tif 000002
【図２】
0005639232.tif 000003
【図３】
0005639232.tif 000004
【図４】
0005639232.tif 000005
【図５】
0005639232.tif 000006
【図６】
0005639232.tif 000007
【図７】
0005639232.tif 000008
【図８】
0005639232.tif 000009
【図９】
0005639232.tif 000010
【図１０】
0005639232.tif 000011
【図１１】
0005639232.tif 000012
【図１２】
0005639232.tif 000013